(57)【要約】  複合ネットワークは、パーティＡとパーティＢのユーザ機器との間で異なる種類の複数のネットワークによる同時接続を提供できる。回線交換による呼と１つ以上のパケット交換セションとを含む通信セションが、同じユーザ機器に関して、異なる種類のネットワーク上で同時展開されてもよい。回線交換の呼とパケット交換のセションとは相関していてもよい。回線交換による呼の相手のパケット交換アドレスを取り出すことに関して、パケット交換ネットワークアドレスの取り出しが、回線交換ネットワークによる回線交換プロトコルにより開始される。アドレス取り出し要求は、ネットワークアドレス要求を遂行する呼の相手またはネットワークノードに向けられる。
2008508752.tif 000002
【特許請求の範囲】
【請求項１】
異なるタイプのネットワークである２つ以上のネットワーク（１１，１２，１３）を有した通信システム内で第１のユーザ機器（１）のネットワークアドレスを取り出す方法であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記方法は、
第１のタイプのネットワーク（１１，１２，１３）を介して、前記第１のユーザ機器（１）の前記第１のタイプとは異なる第２のタイプのネットワークのアドレスを取り出す要求を送信する工程と、
前記第１のユーザ機器（１）の前記要求したネットワークアドレスに関する情報を含む返答を受信する工程とを有することを特徴とする方法。
【請求項２】
前記返答は前記第１のタイプのネットワーク（１１，１２，１３）を介して受信されることを特徴とする請求項１に記載の方法。
【請求項３】
前記返答は前記第２のタイプのネットワーク（１１，１２，１３）を介して受信されることを特徴とする請求項１又は２に記載の方法。
【請求項４】
前記返答は第３のタイプのネットワーク（１１，１２，１３）を介して受信されることを特徴とする請求項１乃至３のいずれか１項に記載の方法。
【請求項５】
前記第１のユーザ機器（１）が接続されるのと少なくとも同じネットワーク（１１，１２，１３）に接続された第２のユーザ機器（２）により、前記要求が送信され、前記返答が受信されることを特徴とする請求項１乃至４のいずれか１項に記載の方法。
【請求項６】
前記第１のユーザ機器（１）が接続されるネットワーク（１１，１２）の内の少なくとも１つに接続されるか、或は含まれるネットワークノード（２１，２２，３１，３２，３３，３４，３５）により、前記要求が送信され、前記返答が受信されることを特徴とする請求項１乃至５のいずれか１項に記載の方法。
【請求項７】
前記第１のユーザ機器（１）に対して、前記要求が送信され、前記第１のユーザ機器（１）から前記返答が受信されることを特徴とする請求項１乃至６のいずれか１項に記載の方法。
【請求項８】
前記ネットワークノード（３４）に対して、前記要求が送信され、前記ネットワークノード（３４）から前記返答が受信され、
前記ネットワークノード（３４）は、前記第１のユーザ機器（１）の前記要求したネットワークアドレスを調べ、前記第１のユーザ機器（１）の前記要求したネットワークアドレスで返答するルックアップサーバとして構成されることを特徴とする請求項６又は７に記載の方法。
【請求項９】
前記ネットワークノード（３５）に対して、前記要求が送信され、前記ネットワークノード（３５）から前記返答が受信され、
前記ネットワークノード（３５）は、前記第１のユーザ機器（１）に対して前記要求を転送し、前記第１のユーザ機器（１）からの返答を受信することができるプロキシサーバとして構成されることを特徴とする請求項６乃至８のいずれか１項に記載の方法。
【請求項１０】
前記第１或は第２のユーザ機器（１，２）は、各接続されたネットワーク（１１，１２，１３）に対する少なくとも１つの接続部（１Ａ，１Ｂ，１Ｃ，２Ａ，２Ｂ，２Ｃ）をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項５乃至９のいずれか１項に記載の方法。
【請求項１１】
前記第１或は第２のユーザ機器（１，２）は、２つ以上の端末を有し、
前記２つ以上の端末各々は、各接続されたネットワーク（１１，１２，１３）に対する少なくとも１つの接続部（１Ａ，１Ｂ，１Ｃ，２Ａ，２Ｂ，２Ｃ）をもち、
前記接続部各々はネットワークアドレスをもっていることを特徴とする請求項５乃至１０のいずれか１項に記載の方法。
【請求項１２】
前記端末は、音声、オーディオ、ビデオ、電子メール、テキストメッセージ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項１１に記載の方法。
【請求項１３】
前記端末（１，２）は前記１つ以上のネットワーク（１１，１２，１３）への有線接続部と前記１つ以上のネットワーク（１１，１２，１３）の無線接続部とを有することを特徴とする請求項１０乃至１２のいずれか１項に記載の方法。
【請求項１４】
前記ネットワーク（１１，１２，１３）と前記関係するネットワークアドレスとは、回線交換（ＣＳ）ネットワークタイプのもの、或は、パケット交換（ＰＳ）ネットワークタイプのものであることを特徴とする請求項１乃至１３のいずれか１項に記載の方法。
【請求項１５】
前記ＣＳタイプのネットワークを介して前記要求が送信されるか、或は、非構造化付加サービスデータ（ＵＳＳＤ）プロトコルメッセージのようなＣＳプロトコルに従って前記返答が受信されることを特徴とする請求項１４に記載の方法。
【請求項１６】
前記ＰＳタイプのネットワークを介して前記要求が送信されるか、或は、セション開始プロトコル（ＳＩＰ）プロトコルメッセージのようなＰＳプロトコルに従って前記返答が受信されることを特徴とする請求項１４又は１５に記載の方法。
【請求項１７】
前記ネットワークアドレスは、移動体統合サービスデジタル通信網（ＭＳＩＳＤＮ）番号、公衆交換電話網（ＰＳＴＮ）番号、仮想私設網（ＶＰＮ）私設番号、或は国際電気通信連合（ＩＴＵ）勧告Ｅ．１６４に準拠した番号のような電話加入者番号のようなＣＳネットワークアドレスであることを特徴とする請求項１４乃至１６のいずれか１項に記載の方法。
【請求項１８】
前記ネットワークアドレスは、ＳＩＰのユニフォーム・リソース・インジケータ（ＵＲＩ）のようなＰＳネットワーク識別子或は番号、イーサネット（登録商標）ＭＡＣアドレスのような構内ネットワーク（ＬＡＮ）のメディアアドレス制御（ＭＡＣ）層アドレス、或はインターネットプロトコル（ＩＰ）アドレスのようなＰＳネットワークアドレスであることを特徴とする請求項１４乃至１７のいずれか１項に記載の方法。
【請求項１９】
異なるタイプのネットワークである２つ以上のネットワーク（１１，１２，１３）を有した通信システム内で第１のユーザ機器（１）のネットワークアドレスを取り出す方法であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記方法は、
第１のタイプのネットワーク（１１，１２，１３）を介して、前記第１のユーザ機器（１）の前記第１のタイプとは異なる第２のタイプのネットワークのアドレスを取り出す要求を受信する工程と、
前記第１のユーザ機器（１）の前記要求したネットワークアドレスを調べる工程と、
前記第１のユーザ機器（１）の前記調べられたネットワークアドレスを含む返答を送信する工程とを有することを特徴とする方法。
【請求項２０】
前記調べられた１つ以上の第１のユーザ機器のネットワークアドレスをもつ返答は、前記第１のタイプのネットワーク（１１，１２，１３）、前記第２のタイプのネットワーク（１１）、或は、第３のタイプのネットワーク（１３）を介して受信されることを特徴とする請求項１９に記載の方法。
【請求項２１】
前記第１のユーザ機器（１）が接続されるのと少なくとも同じネットワーク（１１，１２，１３）に接続されるか、或は含まれる第２のユーザ機器（２）或はネットワークノード（２１，２２，３１，３２，３３）から前記要求が受信され、前記第２のユーザ機器（２）或はネットワークノード（２１，２２，３１，３２，３３）に対して前記返答が送信されることを特徴とする請求項１９又は２０に記載の方法。
【請求項２２】
前記調べる工程は、前記要求されたネットワークアドレスを保持するデータベースへの問合せと、前記要求されたネットワークアドレスを送ること或は前記ユーザ機器（１）に対して前記要求を転送が可能なアプリケーションとの対話と、前記要求されたネットワークアドレスを受信することを含むことを特徴とする請求項１９乃至２１のいずれか１項に記載の方法。
【請求項２３】
前記第１或は第２のユーザ機器（１，２）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項１９乃至２２のいずれか１項に記載の方法。
【請求項２４】
前記第１或は第２のユーザ機器（１，２）は、各接続されたネットワーク（１１，１２，１３）に対する少なくとも１つの接続部をもつ端末を有し、
前記接続部各々は、デュアル転送モード（ＤＴＭ）端末のようなネットワークアドレスをもっていることを特徴とする請求項１９乃至２３のいずれか１項に記載の方法。
【請求項２５】
前記第１或は第２のユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項１９乃至２４のいずれか１項に記載の方法。
【請求項２６】
前記端末は、音声、オーディオ、ビデオ、電子メール、テキストメッセージ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項２３乃至２５のいずれか１項に記載の方法。
【請求項２７】
前記端末（１，２）は前記１つ以上のネットワーク（１１，１２，１３）への有線接続部と前記１つ以上のネットワーク（１１，１２，１３）の無線接続部とを有することを特徴とする請求項２３乃至２６のいずれか１項に記載の方法。
【請求項２８】
前記ネットワーク（１１，１２，１３）と前記関係するネットワークアドレスとは、回線交換（ＣＳ）ネットワークタイプのもの、或は、パケット交換（ＰＳ）ネットワークタイプである異なるネットワークタイプのものであることを特徴とする請求項１９乃至２７のいずれか１項に記載の方法。
【請求項２９】
前記ＣＳタイプのネットワークを介して前記要求が受信されるか、或は、非構造化付加サービスデータ（ＵＳＳＤ）プロトコルメッセージのようなＣＳプロトコルに従って前記返答が送信されることを特徴とする請求項２８に記載の方法。
【請求項３０】
前記ＰＳタイプのネットワークを介して前記要求が受信されるか、或は、セション開始プロトコル（ＳＩＰ）プロトコルメッセージのようなＰＳプロトコルに従って前記返答が送信されることを特徴とする請求項２８又は２９に記載の方法。
【請求項３１】
前記ネットワークアドレスは、移動体統合サービスデジタル通信網（ＭＳＩＳＤＮ）番号、公衆交換電話網（ＰＳＴＮ）番号、或は仮想私設網（ＶＰＮ）私設番号のような電話加入者番号、或は国際電気通信連合（ＩＴＵ）勧告Ｅ．１６４に準拠した番号のようなＣＳネットワークアドレスであることを特徴とする請求項２８乃至３０のいずれか１項に記載の方法。
【請求項３２】
前記ネットワークアドレスは、ＳＩＰのユニフォーム・リソース・インジケータ（ＵＲＩ）のようなＰＳネットワーク識別子或は番号、イーサネット（登録商標）ＭＡＣアドレスのような構内ネットワーク（ＬＡＮ）のメディアアドレス制御（ＭＡＣ）層アドレス、或はインターネットプロトコル（ＩＰ）アドレスのようなＰＳネットワークアドレスであることを特徴とする請求項２８乃至３１のいずれか１項に記載の方法。
【請求項３３】
異なるタイプのネットワークである２つ以上のネットワーク（１１，１２，１３）を有した通信システムにおいて動作し、第１のユーザ機器（１）のネットワークアドレスを取り出すように構成されたネットワーク装置（２，２１，２２，３１，３２，３３）であって、
前記ネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記ネットワーク装置は前記ネットワーク（１１，１２，１３）の少なくとも１つに接続され、少なくとも１つの接続部（２Ａ，２Ｂ，２Ｃ，２１Ａ，２２Ａ，３１Ａ，３２Ａ，３３Ａ，３３Ｂ）により前記第１のユーザ機器（１）に共通接続され、
前記ネットワーク装置は、
前記接続部（２Ａ，２Ｂ，２Ｃ，２１Ａ，２２Ａ，３１Ａ，３２Ａ，３３Ａ，３３Ｂ）を代表するネットワークインタフェースと協働して、第１のタイプのネットワーク（１１，１２，１３）を介して、前記第１のユーザ機器（１）の前記第１のタイプとは異なる第２のタイプのネットワークのアドレスを取り出す要求を送信し、
前記接続部（２Ａ，２Ｂ，２Ｃ，２１Ａ，２２Ａ，３１Ａ，３２Ａ，３３Ａ，３３Ｂ）と同じ或は別の接続により、前記第１のユーザ機器（１）の前記要求したネットワークアドレスに関する情報を含む返答を受信する入出力ユニットを有することを特徴とするネットワーク装置。
【請求項３４】
メモリ手段が備えられた処理ユニットは前記要求を生成し、前記返答を処理することを特徴とする請求項３３に記載のネットワーク装置。
【請求項３５】
前記ネットワーク装置は、第２のユーザ機器（２）或はネットワークノード（２１，２２，３１，３２，３３）により代表されることを特徴とする請求項３３又は３４に記載のネットワーク装置。
【請求項３６】
前記第２のユーザ機器（２）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、或は全球規模の移動体通信システム−マルチ無線アクセスベアラ（ＵＭＴＳ−マルチＲＡＢ）端末のようなネットワークアドレスをもっていることを特徴とする請求項３５に記載のネットワーク装置。
【請求項３７】
前記第２のユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項３５又は３６に記載のネットワーク装置。
【請求項３８】
前記端末（２）は、音声、オーディオ、ビデオ、電子メール、テキストメッセージ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項３６又は３７に記載のネットワーク装置。
【請求項３９】
前記端末（２）は前記１つ以上のネットワーク（１１，１２，１３）への有線接続部と前記１つ以上のネットワーク（１１，１２，１３）の無線接続部とを有することを特徴とする請求項３６乃至３８のいずれか１項に記載のネットワーク装置。
【請求項４０】
前記ネットワーク（１１，１２，１３）と関係するネットワークアドレスとは、回線交換（ＣＳ）ネットワークタイプとパケット交換（ＰＳ）ネットワークタイプとの内、少なくともいずれかであるような異なるネットワークタイプのものであることを特徴とする請求項３３乃至３９のいずれか１項に記載のネットワーク装置。
【請求項４１】
異なるタイプのネットワークである２つ以上のネットワーク（１１，１２，１３）を有した通信システムに含まれ、第１のユーザ機器（１）のネットワークアドレスを提供するように構成されたネットワーク装置（１，３４，３５）であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記ネットワーク装置は、少なくとも１つの接続部（１Ａ，１Ｂ，１Ｃ，３４Ａ，３４Ｂ，３５Ａ，３５Ｂ，３５Ｂ）により前記２つ以上のネットワークに接続されており、
前記ネットワーク装置は、
第１のタイプのネットワーク（１１，１２，１３）を介して、前記第１のユーザ機器（１）の前記第１のタイプとは異なる第２のタイプのネットワークのアドレスを取り出す要求を受信し、
前記第１のユーザ機器（１）の前記要求したネットワークアドレスを調べ、
前記第１のユーザ機器（１）の前記調べられたネットワークアドレスを含む返答を送信する処理ユニット及び入出力（Ｉ／Ｏ）ユニットを有することを特徴とするネットワーク装置。
【請求項４２】
メモリ手段が備えられた前記処理ユニットは、前記入出力（Ｉ／Ｏ）ユニットを通過した前記要求を処理し、前記要求されたネットワークアドレスを調べ、前記調べた結果を前記入出力（Ｉ／Ｏ）ユニットに提供することを特徴とする請求項４１に記載のネットワーク装置。
【請求項４３】
前記ネットワーク装置は、第１のユーザ機器（１）或はネットワークノード（３４，３５）により代表されることを特徴とする請求項４１又は４２に記載のネットワーク装置。
【請求項４４】
前記ネットワークノード（３４）は、前記第１のユーザ機器（１）に対するネットワークアドレスが格納されたルックアップデータベースとして構成されることを特徴とする請求項４３に記載のネットワーク装置。
【請求項４５】
前記ネットワークノード（３５）は、前記要求を前記第１のユーザ機器（１）に対して転送し、前記第１のユーザ機器（１）からの返答を受信することができるプロキシサーバとして構成されることを特徴とする請求項４３又は４４に記載のネットワーク装置。
【請求項４６】
前記第１のユーザ機器（１）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、或は、全球規模の移動体通信システム−マルチ無線アクセスベアラ（ＵＭＴＳ−マルチＲＡＢ）端末のようなネットワークアドレスをもっていることを特徴とする請求項４３乃至４５のいずれか１項に記載のネットワーク装置。
【請求項４７】
前記第１のユーザ機器（１）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項４３乃至４６のいずれか１項に記載のネットワーク装置。
【請求項４８】
前記端末は、音声、オーディオ、ビデオ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とすることを特徴とする請求項４６又は４７に記載のネットワーク装置。
【請求項４９】
前記端末（１）は前記ネットワーク（１１，１２，１３）の少なくとも１つへの有線接続部と前記ネットワーク（１１，１２，１３）の少なくとも１つへの無線接続部とを有することを特徴とする請求項４６乃至４８のいずれか１項に記載のネットワーク装置。
【請求項５０】
前記ネットワーク（１１，１２，１３）と関係するネットワークアドレスとは、回線交換（ＣＳ）ネットワークタイプとパケット交換（ＰＳ）ネットワークタイプとの内、少なくともいずれかであるような異なるネットワークタイプのものであることを特徴とする請求項４１乃至４９のいずれか１項に記載のネットワーク装置。
【発明の詳細な説明】
【技術分野】
【０００１】
本発明は、一般に固定通信システム、無線通信システム、または複合ネットワークと称されるパケット交換・回線交換アーキテクチャを有するハイブリッド通信システムなどの通信システムに関する。特に、本発明により、複合ネットワークに接続しているユーザ機器のアドレス指定情報および端末能力を取り出す方法を容易にするものである。
【背景技術】
【０００２】
固定ネットワークや、特に、汎欧州デジタル移動電話方式（ＧＳＭ）、汎用パケット無線サービス（ＧＰＲＳ）、または、全球規模の移動体通信システム（ＵＭＴＳ）などの移動体ネットワークは絶えず進化している。現在のＧＳＭ／ＧＰＲＳ及びＵＭＴＳのネットワークは、回線交換（ＣＳ）接続とパケット交換（ＰＳ）接続の両方を提供する。広範な種類のデータを伝送する端末能力を有するＰＳエンド・ツー・エンド接続は、画像、音楽およびビデオの転送などのマルチメディアサービスの提供に使用される。ＣＳ接続は、信頼性が高く且つ規定されたサービス品質（ＱｏＳ）をもつ１つ以上の信頼できるネットワークノードにより、２つのユーザ機器間に信頼できるリンクを提供する。
【０００３】
１台以上のユーザ機器または端末に異なる種類の２つ以上のリンクが確立される複合ネットワークは、ユーザ機器にＣＳ接続とＰＳ接続の両方を展開する能力があり、それによって、ＰＳセションと称されるＰＳ通信セションとＣＳによる呼と称されるＣＳ通信セションとを介してそのアクティビティを実行するサービスを可能にする。
【０００４】
このサービスの組み合わせの形態から利益に関して言えば、ユーザ機器には、ＣＳによる呼とＰＳセションを同時に扱える能力が必要とされる。ＵＭＴＳ用のマルチ無線アクセスベアラ（ＲＡＢ）端末機器とＧＳＭ／ＧＰＲＳネットワーク用のデュアル転送モード（ＤＴＭ）端末機器とは利用可能であろう。これらの種類の端末機器は、ＣＳ接続とＰＳ接続の同時接続を可能にする機能を提供している。
【０００５】
現在のところ、会話音声はＰＳベアラによりエンドユーザに配信できない。それは、運用中の無線アクセスネットワークの能力が不十分なためであり、それゆえ、既存のＣＳベアラが会話音声を配信するために使用されている。将来は、ＰＳベアラを単独で、会話音声とマルチメディアのために使用することはたぶん可能である。それでもやはり、現在のＤＴＭ端末と将来のＵＭＴＳ端末とは、ＣＳ接続とＰＳ接続の同時接続サポートを行うでだろう。
【０００６】
同時接続を使用して、ここでパーティＡと称すパーティは、インターネットを閲覧する（ＰＳセションを確立する）一方、ここでパーティＢと称する別の相手とＣＳネットワークを介して音声通話で話し合う。しかしながら、同時性とは、ＣＳによる進行中の呼が進行中のＰＳセションと相関しているということを必ずしも意味しない。
【０００７】
これと対照的に、パーティＢとＣＳによる呼が進行中のパーティＡが、天気について話し合いながら、家の外の雪がいかに美しく見えるかを示す画像を送信するとき、ＰＳセションで転送される画像と進行中のＣＳによる呼とは、パーティＡの視点からは相関している。そうはいうものの、ＰＳセションは、相関しないウェブ閲覧セションと機能的に同一であるように確立できる。
【０００８】
前述のパーティＡが、ＣＳによる呼により、ＣＳネットワークに関する電話帳からパーティＢの名前を使用し、パーティＢに電話をかけると仮定しよう。パーティＢと話し合いながら、パーティＡがパーティＢに写真を送る必要があるとき、パーティＡは、その写真を転送するため自分の“ＰＳ電話帳”を閲覧しなければならない。ＰＳセションが、進行中のＣＳによる呼とは完全に独立にパーティＢと確立される。この例では、ユーザインタフェース間、またはネットワーク構成要素間でやりとりがない。即ち、その相関関係は、ユーザの頭の中で生じるのである。
【０００９】
前述の例では、もしパーティＡがパーティＢに、即ち、ＣＳ電話帳からパーティＢに写真を送信する可能性があれば望ましいだろう。パーティＡは、電話帳を閲覧する必要から解放されるように、“ＣＳによる呼の相手に写真を送信する”ことを選択する可能性もつべきである。
【発明の開示】
【発明が解決しようとする課題】
【００１０】
ネットワーク内にあるサービスと、端末或はユーザ機器のクライアントソフトウェアとの内の少なくともいずれかが、ＣＳによる呼とＰＳセションとの間の関係に気づくようになる（或は、気づかされる）とき、ＣＳによる呼とＰＳセションとは、そのサービスの観点からは相関関係になり、それゆえ提供されるサービスは、複合サービスとして言及される。その複合サービス、特に、前述の例における重要な課題は、アドレス指定、即ち、“パーティＢの電話機、端末、或はユーザ機器のＰＳドメイン部分のアドレスの取得方法”である。
【００１１】
もう１つの課題は、パーティＡがパーティＢに写真を送信するとき、パーティＡは、パーティＢの端末またはユーザ機器にその写真が実際に到達して欲しいとも望む点である。加えて、パーティＢがパーティＡのＰＳセションに基づくメッセージを実際に受信できる端末或はユーザ機器を持っていることも、パーティＡは知るべきである。即ち、パーティＡはパーティＢの端末能力をどのように知るか？という点である。
【００１２】
パーティＡに可能な限りの最高のユーザ体験を与えるために、パーティＢと通信するための種々の可能性の利用可能性についてパーティＡに通知するパーティＡの端末のグラフィカル・ユーザ・インタフェース（ＧＵＩ）で一定のアイコンが明るくできる（または現れさえする）ほうがよい。例えば、パーティＢがＤＴＭ端末を持っている場合、“写真メッセージング”アイコンが、パーティＡの端末上で明るくなるほうがよい。
【００１３】
解決されるべき課題は、（１）パーティＡとパーティＢとの間でＣＳによる呼が確立されるとき、或は、確立された後に、パーティＢのＰＳセション・アドレス指定情報とパーティＢの端末或はユーザ機器（“ＣＳによる呼の相手”の端末）のＰＳセション端末能力とを、パーティＡはどのように取得することができるか？という点と、（２）パーティＡのＰＳセション・アドレス指定情報とパーティＡの端末或はユーザ機器のＰＳセション端末能力とを、パーティＢはどのように取得することができるか？という点である。
【課題を解決するための手段】
【００１４】
本発明の目的は、ＣＳネットワークと少なくとも１つのＰＳネットワークからなる異なる種類の複数のネットワークを有する複合通信ネットワークにおいて、ＣＳによる呼の相手のユーザ機器のＰＳドメインに基づくネットワークアドレスとＰＳドメインの端末能力を取り出す方法を提供することである。ここで、ＣＳによる呼は確立されていて、そのＣＳによる呼とこれから確立されるＰＳセションとは相関する。
【００１５】
本発明の別の目的はさらに、１台以上の機器として実現されるユーザ機器を提供することである。ここで、各機器はネットワーク接続によりＣＳネットワークと１つ以上のＰＳネットワークへの接続を有し、そのユーザ機器は、提示された方法に従って前述のアドレスと能力の取り出しを実行するように構成されている。
【００１６】
この目的は、ユーザ機器により実行されるる方法により、本発明により達成される。その方法では、ＰＳネットワークアドレスは、ＣＳネットワークと１つ以上のＰＳネットワークとを備える通信システム内で、ＣＳによる呼の相手のユーザ機器から取り出され、そのユーザ機器は同じＣＳネットワークと同じＰＳネットワークとの両方に接続されていて、各接続はネットワークアドレスと関係している。ＣＳによる呼の相手のユーザ機器のＰＳネットワークアドレスは、ＣＳネットワークを介して、或は、ＰＳネットワークを介して、ＣＳによる呼の相手のユーザ機器へ要求され、ＣＳによる呼の相手のユーザ機器から取り出される。
【００１７】
その要求はＣＳによる呼の相手のユーザ機器により受信され、ＰＳネットワークアドレスが調べられ、要求したユーザ機器に返信される。その代わりに、ネットワークサービスが、ＣＳによる呼の相手のユーザ機器のＰＳネットワークアドレスを要求されることもある。
【００１８】
ＰＳドメインでパーティＢに着呼するためには、パーティＢはＰＳドメインで登録されていなければならない。提示された解決策には、様々なレベルのアドレス指定が関与している。インターネットプロトコル（ＩＰ）レイヤでパーティＢのユーザ機器に着呼するためには、パーティＢのＩＰアドレスが必要である。パーティＢのユーザ機器とセション開始プロトコル（ＳＩＰ）セションを開始するためには、ＳＩＰセキュア［ＳＩＰｓ、インターネット技術標準化委員会（ＩＥＴＦ）、ＲＦＣ３２６１  ｃｈ．１９．１］ユニファイド・リソース・アイデンティファイア（ＵＲＩ：Unified Resource Identifier）が必要である。ＳＩＰサービスのためには、例えば、プレゼンス（presence）、サービス識別子、及びプレゼンスＵＲＩが必要である。本文書では、これらの様々な識別子は、集合的にＰＳドメイン識別子として言及する。各レベルでの登録が必要となるかもしれない。
【００１９】
本発明は、パーティＡのユーザ機器からネットワークサービス或はパーティＢのユーザ機器に対して所望のネットワークアドレスとパーティＢのユーザ機器の端末能力に関して問合せすることにより、ＰＳネットワークアドレスのようなＰＳドメイン識別子とＵＥの端末能力を取り出すという課題に対する解決策を提供している。本発明は、以下の２つの問い合わせのどちらかを活用する。即ち、
ＣＳドメインの方法を用いてユーザ機器が開始する問合せと、
ＰＳドメインの方法を用いてユーザ機器が開始する問合せと
である。
【００２０】
ＣＳドメインの方法では、パーティＢのアドレスを取り出すために、パーティＡのユーザ機器は、ネットワーク内のサービス、或は、ピア端末或はユーザ機器に問合せすることに関して、ＣＳネットワークを介してＣＳドメインの方法、とりわけ、非構造化付加サービスデータメカニズム［ＵＳＳＤ、３Ｇパートナーシッププロジェクト（３ＧＰＰ）ＴＳ  ２３．０９０］を活用する。
【００２１】
ＰＳドメインの方法では、パーティＢのアドレスを取り出すために、端末は、ＰＳネットワークを介してＰＳドメインの方法を使用し、例えば、ネットワーク内のエンティティ（例えば、現存するサーバ）に向けてＳＩＰメッセージを送信する。
【００２２】
一旦、パーティＢの適切なＰＳドメイン識別子（例えば、ＰＳドメイン・ネットワーク・アドレス）が取り出されたなら、ＵＥ端末能力を交換することに関して、ＰＳネットワークを介して、パーティＢに直接連絡できる。
【００２３】
パーティＢのユーザ機器あてに様々なレイヤでアドレス指定することができるので、ネットワーク運用者は、この目的のためにはＳＩＰ  ＵＲＩシグナリングを使用するのが有益である。その理由は、ＳＩＰ  ＵＲＩシグナリングにより、端末能力のパラメータの交換を制御したり、影響を及ぼすことが可能になるからである。ＳＩＰ  ＵＲＩを使用するときは、ＳＩＰ  ＯＰＴＩＯＮＳ法が端末能力を交換するために使用される。
【００２４】
本発明に従うこれらの実施例について、添付図面を参照して更に詳細に説明する。
【発明を実施するための最良の形態】
【００２５】
本発明の範囲を限定することなく、本発明を完全に理解してもらうために、複合ネットワーク環境で展開される移動体通信システムの現在のＧＳＭ／ＵＭＴＳを実現する背景とその範囲内で、本発明は提示される。しかしながら、本発明は、複合ネットワークを備えるどんな通信システムにも展開できる。
【００２６】
図１は、異なるネットワークタイプのいくつかのネットワーク１１、１２、１３を有する複合ネットワーク１０を模式的に図示したものである。その複合ネットワークには、第１のユーザ機器（ＵＥ）１と第２のＵＥ２とが、ネットワーク１１、１２、１３のすべてか、或は少なくとも２つに接続している。ネットワーク１１、１２、１３への物理的な接続を提供することに関して、ＵＥ１、２は、前述のネットワーク１１、１２、１３に対するネットワークインタフェース１Ａ、１Ｂ、１Ｃ、２Ａ、２Ｂ、２Ｃを有し、これらネットワークインタフェース夫々は、ネットワークアドレスと関係している。
【００２７】
本発明の説明のために、ネットワーク１１はＣＳネットワークタイプのネットワークであり、ネットワーク１２、１３はＰＳネットワークタイプのネットワークであると勝手に仮定しておく。本発明の中では、ＣＳによる呼は、ベアラとして、ＤＴＡＰ、ＩＳＵＰ、ＤＳＳ１を使用すると仮定する。他の種類のベアラを使用してもよい。
【００２８】
本発明は、パーティＢのＵＥ１の所望のアドレスや端末能力に関して、パーティＡのＵＥからパーティＢのＵＥ１或はネットワーク・サービス・ノード３１、３２、３３、３４、３５に問合せすることにより、パーティＢのＵＥ１のＰＳドメインアドレスとＰＳドメイン端末能力とを取り出すという課題に対して解決策を提供するものである。その解決策は、以下の２つの異なる種類の問合せのどちらか１つを使用する。即ち、
ａ）ＣＳドメインの方法を使用したＵＥ１、２が開始する問合せと、
ｂ）ＰＳドメインの方法を使用したＵＥ１、２が開始する問合せとである。
【００２９】
ａ）に関する付加的事項
ＣＳドメインをベースにしたアドレス取り出し方法では、パーティＢのＵＥ１のＰＳドメインアドレスを取り出すために、パーティＡのＵＥ２が、ネットワーク内のサービスノード３１、３２、３３、３４、３５、或はピアＵＥ１のいずれかに問合せすることに関して、ＣＳネットワークを介したＣＳドメインの方法、特に、非構造化付加サービスデータメカニズム［ＵＳＳＤ、３ＧＰＰ  ＴＳ  ２３．０９０］を活用する。
【００３０】
本発明が提供するのは、ＣＳドメインの発呼側であるパーティＡのＵＥ２が、ＣＳドメインの着呼側であるパーティＢのＵＥ１のＰＳ識別子を取り出するため、端末が開始する非構造化付加サービスデータメカニズム［ＵＳＳＤ、３ＧＰＰ  ＴＳ  ２３．０９０］を発生させることである。アドレスなどの着呼側のＰＳ識別子を受信すると、発呼側のパーティＡのＵＥ２は、ＵＥ１の端末能力を取得するため、着呼側のパーティＢのＵＥ１に直接、問合せする。パーティＡのＵＥ２の端末能力しだいでは、パーティＢのＵＥ１の適切な端末能力の存在が、発呼側パーティＡのＵＥ２のグラフィカル・ユーザ・インタフェース（ＧＵＩ）上に強調表示される。パーティＢは、パーティＡのＵＥ２の端末能力を取り出すのと同じ方法を活用してもよい。
【００３１】
ＵＳＳＤメカニズムにより、移動機などのＵＥ１、２のユーザと公衆陸上移動通信網（ＰＬＭＮ）の運用者が規定するアプリケーションは、ＵＥ１、２と中間に介在するネットワークエンティティに対してトランスペアレントであるように通信することができる。
【００３２】
ＵＥとネットワークエンティティでのＵＳＳＤの取り扱いを規定する３ＧＰＰ  ＴＳ  ２３．０９０によれば、ＵＳＳＤメカニズムは、下記の方法でＵＥ１、２のユーザにより適用される。
【００３３】
ＵＥ１、２は、ＣＳネットワーク１１にＵＳＳＤリクエストをいつでも開始することができる。ＵＥ１、２のパーティＡ或はパーティＢ、或はＵＥ１、２で動作しているアプリケーションがアドレス取り出しを要求するとき、ＵＥ１、２はＵＳＳＤメカニズムを利用することを決定し、ＵＥ１、２は、ＣＳネットワーク１１へのトランザクションをセットアップし、移動体通信交換局（ＭＳＣ）にその要求を送信し、応答を待ち合わせる。ＵＥ１、２が応答を受信すると、ＵＥ１、２はパーティＡ或はパーティＢへの応答に含まれている情報を表示するか、或はＵＥ１、２で動作しているアプリケーションにその情報を中継する。
【００３４】
ＭＳＣがホーム公衆陸上移動通信網（ＨＰＬＭＮ）サービスコードを含むＵＳＳＤ要求を受信すると、ＭＳＣは、在圏ロケーションレジスタ（ＶＬＲ）へのトランザクションをセットアップし、そのＶＬＲにＵＳＳＤ要求を変更しないまま転送する。ＶＬＲがＨＰＬＭＮサービスコードを含むＵＳＳＤ要求を受信し、ＵＥ１、２がＨＰＬＭＮにいないときに、ＶＬＲはＨＬＲへのトランザクションをセットアップし、ＵＳＳＤ要求を変更しないまま転送する。
【００３５】
ＭＳＣがローカルサービスコードを含むＵＳＳＤ要求を受信するとき、ＭＳＣとＶＬＲはＵＳＳＤ要求を局所的に処理する。そのＵＳＳＤ要求がＨＬＲに中継されるとき、ＭＳＣとＶＬＲは、更なるＵＳＳＤ要求或はそのトランザクションに対する応答に対して（いずれかの方向において）トランスペアレントであり、いかなる動作もせずにＵＳＳＤ要求やその応答をＭＳとＨＬＲとの間で通過させる。１つのトランザクションが解放されるとき（ＭＳ−ＭＳＣ／ＶＬＲ或はＭＳＣ／ＶＬＲ−ＨＬＲ）、ＭＳＣ／ＶＬＲは他のトランザクションも同様に解放する。
【００３６】
ＭＳＣ或はＶＬＲが、ＵＳＳＤ要求で使用されるアルファベットをサポートしない場合には、ＭＳＣ或はＶＬＲは、ＶＬＲ或はＨＬＲへのトランザクションを夫々セットアップし、ＨＰＬＭＮサービスコードを受信するときと同じようにＵＳＳＤ要求を変更しないまま転送する。
【００３７】
３ＧＰＰ  ＴＳ  ２３．０９０によれば、ＨＬＲはＵＳＳＤ要求を転送するか、或は、ＵＳＳＤ要求を局所的に処理する。ＵＳＳＤアプリケーションのロケーション、性質、コンテンツは、規定により、サービスプロバイダおよびネットワークオペレータに依存するが、一般に以下のことを含む。即ち、
−シグナリングチャネルと音声チャネルとの内、少なくともいずれかの設定或は
解放と、
−別のネットワークエンティティにＵＳＳＤ要求を（変更せずに或は変更して）
渡すことと、
−別のネットワークエンティティに異なるＵＳＳＤ要求を渡すことと、
−ＵＥ１、２からの更なる情報を（１回以上）要求することとの内、
少なくともいずれかである。
【００３８】
ＵＳＳＤ要求処理完了時、ネットワークエンティティはＵＳＳＤ要求に応答するものとし、それからトランザクションを解放するものとする。
【００３９】
ＵＳＳＤにより補助されたＰＳ識別子アドレス取り出しは、以下の２つの方法のどちらかで実施される。即ち、
−パーティＡのＵＥ２がパーティＢのＵＥ１にＵＳＳＤ要求を送信することと、
−パーティＡのＵＥ２がネットワークサービスにＵＳＳＤ要求を送信することである。
【００４０】
パーティＢのＵＥ１のＰＳ識別子を取り出す第１の方法において、パーティＡのＵＥ２がＣＳネットワークを介してパーティＢのＵＥ１に宛てられたＵＳＳＤ要求を送信して、パーティＢのＵＥ１のＰＳドメイン識別子を要求する。この第１の方法では、パーティＡのＵＥ２は、パーティＢのＵＥ１のインターネットプロトコル（ＩＰ）アドレスについて尋ねるＵＳＳＤ要求を組み立てる。パーティＡのＵＥ２が在圏公衆陸上移動通信網（ＶＰＬＭＮ）にいるなら、ＵＳＳＤ要求はＶＬＲにより受信され、パーティＡのＨＰＬＭＮ内のパーティＡのＨＬＲに送信される。ＵＳＳＤ要求のサービスコードの分析時、パーティＢのＵＥ１のＰＳドメイン識別子を要求されていることが検出される。ＨＬＲは、パーティＢのＵＥ１に第２回目のＵＳＳＤ要求を開始する。パーティＢのＵＥ１に向けた第２回目のＵＳＳＤ要求は、パーティＢのＨＬＲを通過してもよい。パーティＢのＵＥ１のアプリケーションはＵＳＳＤ要求をデコードし、パーティＡのＵＥ２にパーティＢのＵＥ１のＰＳ端末部分の要求されたＰＳドメイン識別子を返信する。パーティＢからの応答は、パーティＢのＨＬＲとパーティＡのＨＬＲを通過してもよい。
【００４１】
パーティＢのＵＥ１がセション開始プロトコル（ＳＩＰ）のユニファイド・リソース・アイデンティファイア（ＵＲＩ：Unified Resource Identifier）を使って応答すると、続いてパーティＡのＵＥ２は、パーティＢのＳＩＰ  ＵＲＩを用いてパーティＢのＵＥ１に“ＳＩＰ  ＯＰＴＩＯＮＳ”メッセージを送信し、パーティＢのＵＥ１の端末能力を尋ねる。パーティＢのＵＥ１の端末能力に従って、パーティＡのＵＥ２のグラフィカル・インタフェース上には一定のアイコンが強調表示される。パーティＢのＵＥ１の端末能力について取り出された情報に基づいて、写真メッセージング機能が動作可能になるなら、パーティＡのＵＥ２はパーティＢのＵＥ１に写真を送信する。
【００４２】
ＵＳＳＤにより補助されたアドレス取り出しの第１の方法では、端末アプリケーションがパーティＡのＵＥ２とパーティＢのＵＥ１にロードされ動作する必要がある。その端末アプリケーションは、ＵＳＳＤ問合せの送信と処理、及びＵＳＳＤ応答を生成することができる。例えば、パーティＡのＵＥ２とパーティＢのＵＥ１に組み込まれているこれらのアプリケーションは、独自仕様かまたは標準化されたものである。ただし、標準化されている方が、相互運用問題を避けるために好ましい。
【００４３】
パーティＢのＵＥ１が、ＣＳネットワーク１１を介してＵＳＳＤシグナリングを使用して確認応答を送信し、ＰＳドメイン識別子を送信するためにまったく異なるプロトコルを使用するのは１つの選択肢である。別の選択肢とは、パーティＢのＵＥ１で受信した着信ＵＳＳＤ要求がパーティＡのＵＥ２のＩＰアドレスを搬送し、従って、パーティＢのＵＥ１は、以後の通信にこのＰＳドメインネットワークアドレス情報を直接使用することである。
【００４４】
ＵＳＳＤにより補助されたアドレスを取り出す第２の方法では、パーティＡのＵＥ２がネットワークベースのサービスに宛てられたＵＳＳＤメッセージを送信する。このサービスは、ルックアップデータベースサーバ３４或はプロキシサーバ３５として実現され、パーティＡのＵＥ２に向けてＵＳＳＤ応答を返信する。先に提示した、ＵＳＳＤにより補助されたアドレスを取り出す第１の方法との違いは、パーティＢのＵＥ１にＵＳＳＤメッセージを中継する代わりに、ＨＬＲがパーティＡに応答を送信することである。ＶＬＲまたは在圏ＧＰＲＳサポートノード（ＳＧＳＮ）［３ＧＰＰ  ＴＳ  ２３．０７８  ｖ６．１．０  ｃｈ．１１．３．６．１．２］から情報を取得するために、随時質問（ＡＴＩ、Any Time Interrogation）［３ＧＰＰ  ＴＳ  ２３．０７８  ｖ６．１．０  ｃｈ．１１．３．３．１．２］を使用することができるＨＬＲを介して、加入者の“状態（state）”が利用可能になる。それにより、加入者（ここではパーティＢ）が、ＨＬＲへのＵＳＳＤ要求で、国際移動電話加入者ＩＤ（ＩＭＳＩ）或はＭＳＩＳＤＮ（移動体統合サービスデジタル通信網）番号のどちらかにより識別される。特に、加入者の“ＰＳドメイン加入者状態”と“パケットデータプロトコル（ＰＤＰ）コンテキスト情報リスト”についての情報が取得される。このリストには、加入者のＩＰアドレス、この場合には、ＰＳネットワーク１２、１３に接続されたパーティＢのＵＥ１のＩＰアドレスも含んでいる。
【００４５】
要求されたＰＳドメイン識別子によっては、ＨＬＲは、適切なデータベース（例えばプレゼンスサーバ）を維持する他のネットワークエンティティ２１、２２、３１、３２、３３、３４、３５にも連絡する。ネットワークノード２１、２２、３２、３３は、ＵＥ１、２のネットワークアドレスを取り出すように構成されている。ノード２１、２２はネットワーク１１、１２内に含まれ、ノード３２、３３は、ネットワーク１１、１２、１３の外部に位置している。ネットワークノード３１は、Ｅ．１６４番号サーバ［ＥＮＵＭ  ネットワークワーキンググループＲＦＣ(Request for Comments)３７６１］であり、ネットワークノード３４は、ルックアップデータベースサーバ３４であり、ネットワークノード３５はプロキシサーバ３５である。ネットワークノード２１、２２、３１、３２、３３、３４、３５は、関係する接続部２１Ａ、２２Ａ、３１Ａ、３２Ａ、３３Ａ、３３Ｂ、３４Ａ、３４Ｂ、３５Ａ、３５Ｂ、３５Ｃを用いてネットワーク１１、１２、１３に接続されている。
【００４６】
ＵＳＳＤにより補助されるアドレス取り出し第２の方法でも、応答はＣＳドメインＵＳＳＤシグナリングに基づいているか、または応答を配信する別のプロトコルを使用する。
【００４７】
これらの提示されたＣＳドメインベースのＵＳＳＤにより補助されるアドレス取り出し方法は両方とも、パーティＡのＵＥ２の視点からは同一であるが、パーティＢのＵＥ１の視点からは異なっている。これらの２つのＣＳドメイン方法は、ネットワークの視点からも異なっている。その理由は、ＵＳＳＤにより補助される第１のアドレス取り出し方法では、ネットワークはＵＳＳＤメッセージを中継しているだけであるが、ＵＳＳＤにより補助される第２のアドレス取り出し方法では、そのサービスは、ルックアップデータベースサーバ３４またはプロキシサーバ３５としてネットワークノードで実現される。プロキシサーバ３５は、ＵＳＳＤメッセージを傍受し、それを処理し、措置する。パーティＢのＵＥ１に向かうアクセスネットワーク（ＧＳＭ／ＵＭＴＳ）の無線資源は、第２の方法では消費されておらず、有利な点と見なされる。
【００４８】
ｂ）に関する付加的事項
ＰＳドメインベースのアドレス取り出し方法では、パーティＢのＵＥ１のＰＳドメインアドレスを取り出すことに関して、パーティＡのＵＥ２は、適切なデータベース（例えば、プレゼンスサーバ、ルックアップサーバ、プロキシサーバ）を維持するネットワークノード２１、２２、３１、３２、３３、３４、３５などのネットワークのエンティティに向けて、例えば、ＳＩＰメッセージを用いて、ＰＳネットワークを介したＰＳドメイン方法を活用する。
【００４９】
パーティＡのＵＥ２は、パーティＢのＰＳドメインアドレスを（ＩＰもＳＩＰ  ＵＲＩも）もっていないので、パーティＢのＵＥ１に、パーティＡのＵＥ２は直接連絡することはできない。パーティＡのＵＥ２とＣＳによる呼が現在進行中のパーティＢのＵＥ１に関する情報は、パーティＡのＵＥ２が利用可能なＣＳドメインネットワークアドレスを備えている。このＣＳドメインネットワークアドレスは、とりわけ、着呼側パーティＢのＵＥ１の電話番号、ＭＳＩＳＤＮ、或はＩＭＳＩもよい。
【００５０】
パーティＡのＵＥ２はネットワークサービスに問合せする。そこでは、パーティＡのＵＥ２は、ネットワークサービスにパーティＢのＵＥ１の電話番号（或は、ＩＭＳＩやＭＳＩＳＤＮ）を提供する。このサービスは、Ｅ．１６４番号サーバ３１［ＥＮＵＭ  ネットワークワーキンググループ  ＲＦＣ３７６１］を使用し実現される。
【００５１】
上記のＣＳドメインベースとＰＳドメインベースのアドレス取り出し方法は両方とも、ＵＥ１、２のユーザの介在なしで、バックグラウンドで実行される。本発明を展開することにより、パーティＡのＵＥ２は、パーティＡのＵＥ２の端末グラフィカル能力次第で、ＣＳによる呼のセットアップ後、数秒でパーティＡのＧＵＩ上にアイコンが現れる。
【００５２】
本発明を実施することで、通話相手のＵＥ１、２のＰＳドメインアドレス（例えば、ＩＰアドレス）を取得するために、パーティＡのＵＥ２またはパーティＢのＵＥ１のどちらかが、ＣＳによる進行中の呼の間に、通話相手のＵＥ１、２またはネットワークノード２１、２２、３１、３２、３３、３４、３５に問合せすることに関して、ＵＳＳＤメカニズムを開始する。
【００５３】
本発明は、通話相手のＵＥのＰＳドメインアドレスおよび端末能力を取り出すための効率的で進歩性に富んだ方法を提供する。ユーザのＵＥ１、２の表示部に、通話相手のＵＥ１、２の端末能力を表示させることができる。
【図面の簡単な説明】
【００５４】
【図１】ユーザ機器やネットワークノードを接続した複合ネットワークの概略図である。
【図１】
2008508752.tif 000003
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
異なるタイプのネットワークである２つ以上のネットワーク（１１，１２，１３）を有した通信システム内で第１のユーザ機器（１）のネットワークアドレスを取り出す方法であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記方法は、
第１のタイプのネットワーク（１１，１２，１３）を介して、前記第１のユーザ機器（１）の前記第１のタイプとは異なる第２のタイプのネットワークのアドレスを取り出す要求を送信する工程と、
前記第１のユーザ機器（１）の前記要求したネットワークアドレスに関する情報を含む返答を受信する工程とを有し、
前記第１のユーザ機器（１）に対して前記要求が送信され、前記第１のユーザ機器（１）から前記返答が受信されることを特徴とする方法。
【請求項２】
前記返答は前記第１のタイプのネットワーク（１１，１２，１３）を介して受信されることを特徴とする請求項１に記載の方法。
【請求項３】
前記返答は前記第２のタイプのネットワーク（１１，１２，１３）を介して受信されることを特徴とする請求項１又は２に記載の方法。
【請求項４】
前記返答は第３のタイプのネットワーク（１１，１２，１３）を介して受信されることを特徴とする請求項１乃至３のいずれか１項に記載の方法。
【請求項５】
前記第１のユーザ機器（１）が接続されるのと少なくとも同じネットワーク（１１，１２，１３）に接続された第２のユーザ機器（２）により、前記要求が送信され、前記返答が受信されることを特徴とする請求項１乃至４のいずれか１項に記載の方法。
【請求項６】
前記第１のユーザ機器（１）が接続されるネットワーク（１１，１２）の内の少なくとも１つに接続されるか、或は含まれるネットワークノード（２１，２２，３１，３２，３３，３４，３５）により、前記要求が送信され、前記返答が受信されることを特徴とする請求項１乃至５のいずれか１項に記載の方法。
【請求項７】
前記第１或は第２のユーザ機器（１，２）は、各接続されたネットワーク（１１，１２，１３）に対する少なくとも１つの接続部（１Ａ，１Ｂ，１Ｃ，２Ａ，２Ｂ，２Ｃ）をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項５又は６に記載の方法。
【請求項８】
前記第１或は第２のユーザ機器（１，２）は、２つ以上の端末を有し、
前記２つ以上の端末各々は、各接続されたネットワーク（１１，１２，１３）に対する少なくとも１つの接続部（１Ａ，１Ｂ，１Ｃ，２Ａ，２Ｂ，２Ｃ）をもち、
前記接続部各々はネットワークアドレスをもっていることを特徴とする請求項５乃至７のいずれか１項に記載の方法。
【請求項９】
前記端末は、音声、オーディオ、ビデオ、電子メール、テキストメッセージ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項８に記載の方法。
【請求項１０】
前記端末（１，２）は前記１つ以上のネットワーク（１１，１２，１３）への有線接続部と前記１つ以上のネットワーク（１１，１２，１３）の無線接続部とを有することを特徴とする請求項７乃至９のいずれか１項に記載の方法。
【請求項１１】
前記ネットワーク（１１，１２，１３）と前記関係するネットワークアドレスとは、回線交換（ＣＳ）ネットワークタイプのもの、或は、パケット交換（ＰＳ）ネットワークタイプのものであることを特徴とする請求項１乃至１０のいずれか１項に記載の方法。
【請求項１２】
前記ＣＳタイプのネットワークを介して前記要求が送信されるか、或は、非構造化付加サービスデータ（ＵＳＳＤ）プロトコルメッセージのようなＣＳプロトコルに従って前記返答が受信されることを特徴とする請求項１１に記載の方法。
【請求項１３】
前記ＰＳタイプのネットワークを介して前記要求が送信されるか、或は、セション開始プロトコル（ＳＩＰ）プロトコルメッセージのようなＰＳプロトコルに従って前記返答が受信されることを特徴とする請求項１１又は１２に記載の方法。
【請求項１４】
前記ネットワークアドレスは、移動体統合サービスデジタル通信網（ＭＳＩＳＤＮ）番号、公衆交換電話網（ＰＳＴＮ）番号、仮想私設網（ＶＰＮ）私設番号、或は国際電気通信連合（ＩＴＵ）勧告Ｅ．１６４に準拠した番号のような電話加入者番号のようなＣＳネットワークアドレスであることを特徴とする請求項１１乃至１３のいずれか１項に記載の方法。
【請求項１５】
前記ネットワークアドレスは、ＳＩＰのユニフォーム・リソース・インジケータ（ＵＲＩ）のようなＰＳネットワーク識別子或は番号、イーサネット（登録商標）ＭＡＣアドレスのような構内ネットワーク（ＬＡＮ）のメディアアドレス制御（ＭＡＣ）層アドレス、或はインターネットプロトコル（ＩＰ）アドレスのようなＰＳネットワークアドレスであることを特徴とする請求項１１乃至１４のいずれか１項に記載の方法。
【請求項１６】
異なるタイプのネットワークである２つ以上のネットワーク（１１，１２，１３）を有した通信システム内で第１のユーザ機器（１）のネットワークアドレスを取り出す方法であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記方法は、
第１のタイプのネットワーク（１１，１２，１３）を介して、前記第１のユーザ機器（１）の前記第１のタイプとは異なる第２のタイプのネットワークのアドレスを取り出す要求を受信する工程と、
前記第１のユーザ機器（１）の前記要求したネットワークアドレスを調べる工程と、
前記第１のユーザ機器（１）の前記調べられたネットワークアドレスを含む返答を送信する工程とを有し、
前記受信する工程と前記調べる工程と前記送信する工程とは、前記第１のユーザ機器（１）により実行されることを特徴とする方法。
【請求項１７】
前記調べられた１つ以上の第１のユーザ機器のネットワークアドレスをもつ返答は、前記第１のタイプのネットワーク（１１，１２，１３）、前記第２のタイプのネットワーク（１１）、或は、第３のタイプのネットワーク（１３）を介して受信されることを特徴とする請求項１６に記載の方法。
【請求項１８】
前記第１のユーザ機器（１）が接続されるのと少なくとも同じネットワーク（１１，１２，１３）に接続されるか、或は含まれる第２のユーザ機器（２）或はネットワークノード（２１，２２，３１，３２，３３）から前記要求が受信され、前記第２のユーザ機器（２）或はネットワークノード（２１，２２，３１，３２，３３）に対して前記返答が送信されることを特徴とする請求項１６又は１７に記載の方法。
【請求項１９】
前記調べる工程は、前記第１のユーザ機器（１）においてアプリケーションをローディングし実行することを特徴とする請求項１６乃至１８のいずれか１項に記載の方法。
【請求項２０】
前記第１或は第２のユーザ機器（１，２）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、全球規模の移動体通信システム−マルチ無線アクセスベアラ（ＵＭＴＳ−マルチＲＡＢ）端末のようなネットワークアドレスをもっていることを特徴とする請求項１６乃至１９のいずれか１項に記載の方法。
【請求項２１】
前記第１或は第２のユーザ機器（１，２）は、各接続されたネットワーク（１１，１２，１３）に対する少なくとも１つの接続部をもつ端末を有し、
前記接続部各々は、デュアル転送モード（ＤＴＭ）端末のようなネットワークアドレスをもっていることを特徴とする請求項１６乃至２０のいずれか１項に記載の方法。
【請求項２２】
前記第１或は第２のユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項１６乃至２１のいずれか１項に記載の方法。
【請求項２３】
前記端末は、音声、オーディオ、ビデオ、電子メール、テキストメッセージ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項２０乃至２２のいずれか１項に記載の方法。
【請求項２４】
前記端末（１，２）は前記１つ以上のネットワーク（１１，１２，１３）への有線接続部と前記１つ以上のネットワーク（１１，１２，１３）の無線接続部とを有することを特徴とする請求項２０乃至２３のいずれか１項に記載の方法。
【請求項２５】
前記ネットワーク（１１，１２，１３）と前記関係するネットワークアドレスとは、回線交換（ＣＳ）ネットワークタイプのもの、或は、パケット交換（ＰＳ）ネットワークタイプである異なるネットワークタイプのものであることを特徴とする請求項１６乃至２４のいずれか１項に記載の方法。
【請求項２６】
前記ＣＳタイプのネットワークを介して前記要求が受信されるか、或は、非構造化付加サービスデータ（ＵＳＳＤ）プロトコルメッセージのようなＣＳプロトコルに従って前記返答が送信されることを特徴とする請求項２５に記載の方法。
【請求項２７】
前記ＰＳタイプのネットワークを介して前記要求が受信されるか、或は、セション開始プロトコル（ＳＩＰ）プロトコルメッセージのようなＰＳプロトコルに従って前記返答が送信されることを特徴とする請求項２５又は２６に記載の方法。
【請求項２８】
前記ネットワークアドレスは、移動体統合サービスデジタル通信網（ＭＳＩＳＤＮ）番号、公衆交換電話網（ＰＳＴＮ）番号、或は仮想私設網（ＶＰＮ）私設番号のような電話加入者番号、或は国際電気通信連合（ＩＴＵ）勧告Ｅ．１６４に準拠した番号のようなＣＳネットワークアドレスであることを特徴とする請求項２５乃至２７のいずれか１項に記載の方法。
【請求項２９】
前記ネットワークアドレスは、ＳＩＰのユニフォーム・リソース・インジケータ（ＵＲＩ）のようなＰＳネットワーク識別子或は番号、イーサネット（登録商標）ＭＡＣアドレスのような構内ネットワーク（ＬＡＮ）のメディアアドレス制御（ＭＡＣ）層アドレス、或はインターネットプロトコル（ＩＰ）アドレスのようなＰＳネットワークアドレスであることを特徴とする請求項２５乃至２８のいずれか１項に記載の方法。
【請求項３０】
異なるタイプのネットワークである２つ以上のネットワーク（１１，１２，１３）を有した通信システムにおいて動作し、第１のユーザ機器（１）のネットワークアドレスを取り出すように構成されたネットワーク装置（２，２１，２２，３１，３２，３３）であって、
前記ネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記ネットワーク装置は前記ネットワーク（１１，１２，１３）の少なくとも１つに接続され、少なくとも１つの接続部（２Ａ，２Ｂ，２Ｃ，２１Ａ，２２Ａ，３１Ａ，３２Ａ，３３Ａ，３３Ｂ）により前記第１のユーザ機器（１）に共通接続され、
前記ネットワーク装置は、
前記接続部（２Ａ，２Ｂ，２Ｃ，２１Ａ，２２Ａ，３１Ａ，３２Ａ，３３Ａ，３３Ｂ）を代表するネットワークインタフェースと協働して、第１のタイプのネットワーク（１１，１２，１３）を介して、前記第１のユーザ機器（１）の前記第１のタイプとは異なる第２のタイプのネットワークのアドレスを取り出す要求を送信し、
前記接続部（２Ａ，２Ｂ，２Ｃ，２１Ａ，２２Ａ，３１Ａ，３２Ａ，３３Ａ，３３Ｂ）と同じ或は別の接続により、前記第１のユーザ機器（１）の前記要求したネットワークアドレスに関する情報を含む返答を受信する入出力ユニットを有し、
前記装置は、前記第１のユーザ機器（１）に対して前記要求を送信し、前記第１のユーザ機器（１）から前記返答を受信するように構成されていることを特徴とするネットワーク装置。
【請求項３１】
メモリ手段が備えられた処理ユニットは前記要求を生成し、前記返答を処理することを特徴とする請求項３０に記載のネットワーク装置。
【請求項３２】
前記ネットワーク装置は、第２のユーザ機器（２）或はネットワークノード（２１，２２，３１，３２，３３）により代表されることを特徴とする請求項３０又は３１に記載のネットワーク装置。
【請求項３３】
前記第２のユーザ機器（２）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、或は全球規模の移動体通信システム−マルチ無線アクセスベアラ（ＵＭＴＳ−マルチＲＡＢ）端末のようなネットワークアドレスをもっていることを特徴とする請求項３２に記載のネットワーク装置。
【請求項３４】
前記第２のユーザ機器（１，２）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項３２又は３３に記載のネットワーク装置。
【請求項３５】
前記端末（２）は、音声、オーディオ、ビデオ、電子メール、テキストメッセージ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とする請求項３３又は３４に記載のネットワーク装置。
【請求項３６】
前記端末（２）は前記１つ以上のネットワーク（１１，１２，１３）への有線接続部と前記１つ以上のネットワーク（１１，１２，１３）の無線接続部とを有することを特徴とする請求項３３乃至３５のいずれか１項に記載のネットワーク装置。
【請求項３７】
前記ネットワーク（１１，１２，１３）と関係するネットワークアドレスとは、回線交換（ＣＳ）ネットワークタイプとパケット交換（ＰＳ）ネットワークタイプとの内、少なくともいずれかであるような異なるネットワークタイプのものであることを特徴とする請求項３０乃至３６のいずれか１項に記載のネットワーク装置。
【請求項３８】
異なるタイプのネットワークである２つ以上のネットワーク（１１，１２，１３）を有した通信システムに含まれ、第１のユーザ機器（１）のネットワークアドレスを提供するように構成されたネットワーク装置であって、
前記２つ以上のネットワーク（１１，１２，１３）は少なくとも前記第１のユーザ機器（１）に接続されており、前記第１のユーザ機器は前記２つ以上のネットワークに対して夫々がネットワークアドレスに関連した複数の接続部（１Ａ，１Ｂ，１Ｃ）をもち、
前記ネットワーク装置は、少なくとも１つの接続部（１Ａ，１Ｂ，１Ｃ）により前記２つ以上のネットワークに接続されており、
前記ネットワーク装置は、
第１のタイプのネットワーク（１１，１２，１３）を介して、前記第１のユーザ機器（１）の前記第１のタイプとは異なる第２のタイプのネットワークのアドレスを取り出す要求を受信し、
前記第１のユーザ機器（１）の前記要求したネットワークアドレスを調べ、
前記第１のユーザ機器（１）の前記調べられたネットワークアドレスを含む返答を送信する処理ユニット及び入出力（Ｉ／Ｏ）ユニットを有し、
前記ネットワーク装置は前記第１のユーザ機器（１）であることを特徴とするネットワーク装置。
【請求項３９】
メモリ手段が備えられた前記処理ユニットは、前記入出力（Ｉ／Ｏ）ユニットを通過した前記要求を処理し、前記要求されたネットワークアドレスを調べ、前記調べた結果を前記入出力（Ｉ／Ｏ）ユニットに提供することを特徴とする請求項３８に記載のネットワーク装置。
【請求項４０】
前記第１のユーザ機器（１）は、各接続されたネットワーク（１１，１２，１３）に対する少なくとも１つの接続部をもつ端末を有し、
前記接続部各々は、デュアル転送モード（ＤＴＭ）端末、汎欧州デジタル移動電話方式−汎用パケット無線サービス（ＧＳＭ−ＧＰＲＳ）端末、或は、全球規模の移動体通信システム−マルチ無線アクセスベアラ（ＵＭＴＳ−マルチＲＡＢ）端末のようなネットワークアドレスをもっていることを特徴とする請求項３８に記載のネットワーク装置。
【請求項４１】
前記第１のユーザ機器（１）は、２つ以上の端末を有し、
前記２つ以上の端末各々は、各接続されたネットワーク（１１，１２，１３）に対する少なくとも１つの接続部をもち、
前記接続部各々はネットワークアドレスをもっていることを特徴とする請求項３８又は４０に記載のネットワーク装置。
【請求項４２】
前記端末は、音声、オーディオ、ビデオ、或はデータのような通信セションを、電話、ハンドセット、汎欧州デジタル移動電話方式（ＧＳＭ）端末、改良型移動体電話サービス（ＡＭＰＳ）或はデジタルＡＭＰＳ（Ｄ−ＡＭＰＳ）端末、改良型デジタルコードレス電話（ＤＥＣＴ）端末、Bluetooth（登録商標）端末、全球規模の移動体通信システム（ＵＭＴＳ）端末、ビデオ端末、パーソナルコンピュータ（ＰＣ）、或は、ワークステーションのような機器により展開可能であることを特徴とすることを特徴とする請求項４０又は４１に記載のネットワーク装置。
【請求項４３】
前記端末（１）は前記ネットワーク（１１，１２，１３）の少なくとも１つへの有線接続部と前記ネットワーク（１１，１２，１３）の少なくとも１つへの無線接続部とを有することを特徴とする請求項４０又は４１又は４３に記載のネットワーク装置。
【請求項４４】
前記ネットワーク（１１，１２，１３）と関係するネットワークアドレスとは、回線交換（ＣＳ）ネットワークタイプとパケット交換（ＰＳ）ネットワークタイプとの内、少なくともいずれかであるような異なるネットワークタイプのものであることを特徴とする請求項３８乃至４３のいずれか１項に記載のネットワーク装置。
【手続補正２】
【補正対象書類名】明細書
【補正対象項目名】０００９
【補正方法】変更
【補正の内容】
【０００９】
前述の例では、もしパーティＡがパーティＢに、即ち、ＣＳ電話帳からパーティＢに写真を送信する可能性があれば望ましいだろう。パーティＡは、電話帳を閲覧する必要から解放されるように、“ＣＳによる呼の相手に写真を送信する”ことを選択する可能性もつべきである。
【特許文献１】米国特許出願公開第２００３／００２６３９４号明細書
【特許文献２】米国特許第５，９４９，７６３号明細書
【手続補正３】
【補正対象書類名】明細書
【補正対象項目名】００１３
【補正方法】変更
【補正の内容】
【００１３】
解決されるべき課題は、（１）パーティＡとパーティＢとの間でＣＳによる呼が確立されるとき、或は、確立された後に、パーティＢのＰＳセション・アドレス指定情報とパーティＢの端末或はユーザ機器（“ＣＳによる呼の相手”の端末）のＰＳセション端末能力とを、パーティＡはどのように取得することができるか？という点と、（２）パーティＡのＰＳセション・アドレス指定情報とパーティＡの端末或はユーザ機器のＰＳセション端末能力とを、パーティＢはどのように取得することができるか？という点である。
その提起された課題に対する従来技術による解決策は特許文献１及び特許文献２に示されている。
特許文献１は全く異なるネットワークによる音声と関連データの接続を確立するシステム及び方法を開示しており、音声接続の電話番号が、ネットワークデータベース、即ち、ローカルデータベース或はデータ宛先に対するハイブリッド番号レジスタに対する照会により関連データ宛先を決定する。このことは、ネットワーク或は移動交換センタにより実行され、ＩＰアドレスのようなパケット制御ユニットに対する宛先を提供する。
特許文献２は、ループペア或はＤＳＬ接続により中央局に接続された端末からの音声及びデータ接続を確立して、加入者に対して、ＰＳＴＮとデータネットワークとを介して音声とデータの両方を搬送するシステムと方法とを記載しており、ＳＣＰが発呼者と被呼者の端末の構成をチェックし、ＩＰデータアドレスを取り出し、データ接続を確立するためカスタマ・プレミス・イクイップメント（ＣＰＥ：Customer Premise Equipment）端末に対してデータアドレスを送信することに関して、ネットワークデータベースに照会する。
呈示される本発明では、上記の従来技術に対する代替案を提供するものである。
【手続補正４】
【補正対象書類名】明細書
【補正対象項目名】００１６
【補正方法】変更
【補正の内容】
【００１６】
この目的は、ユーザ機器により実行されるる方法により、本発明により達成される。その方法では、ＰＳネットワークアドレスは、ＣＳネットワークと１つ以上のＰＳネットワークとを備える通信システム内で、ＣＳによる呼の相手のユーザ機器から取り出される。そのユーザ機器は同じＣＳネットワークと同じＰＳネットワークとの両方に接続されていて、各接続はネットワークアドレスと関係している。ＣＳによる呼の相手のユーザ機器のＰＳネットワークアドレスは、ＣＳネットワークを介して、或は、ＰＳネットワークを介して、ＣＳによる呼の相手のユーザ機器へ要求され、ＣＳによる呼の相手のユーザ機器から取り出される。
【国際調査報告】
2008508752.tif 000004
2008508752.tif 000005
2008508752.tif 000006